(57)【要約】【課題】  簡単な構成で、容易に動態の移動を検出できる、動態管理システムを提供する。【解決手段】  部屋６０の出入口には、それぞれが、ＩＤ番号付きのトリガ信号を出力する、トリガ信号発信アンテナ２１〜２８が設けられる。動態管理システム１０は、トリガ信号発信アンテナ２１〜２８と、トリガ信号発信アンテナ２１〜２８にトリガ信号を供給するトリガ信号発信器１１〜１８と、トリガ信号発信器１１〜１８からのトリガ信号に応答して、ＩＤ番号を出力するＩＤタグ４０とを含み、ＩＤタグ４０は、受信したトリガ信号ＩＤとともに自己のＩＤ番号を出力し、受信器３５〜３７が、ＩＤタグ４０が出力したトリガ信号のＩＤ番号とＩＤタグ４０のＩＤ番号を受信する。【選択図】      図１
2006048399.tif 000002
【特許請求の範囲】
【請求項１】
第１の位置に設けられ、第１特性を有するトリガ信号を出力する、第１トリガ信号発信器と、
第２の位置に設けられ、前記第１と異なる第２特性を有するトリガ信号を出力する、第２トリガ信号発信器と、
前記第１および第２トリガ信号発信器からのトリガ信号に応答して、ＩＤ番号を出力するＩＤタグとを含み、
前記ＩＤタグは、受信したトリガ信号を特定する情報とともに前記ＩＤ番号を出力し、
前記ＩＤタグが出力したＩＤ番号を受信する受信器とを含む、動態管理システム。
【請求項２】
前記ＩＤタグは、前記トリガ信号ごとの異なる特性を記憶する記憶手段を含む、請求項１に記載の動態管理システム。
【請求項３】
前記トリガ信号発信器の相互に異なる特性は、トリガ信号のＩＤによって区別される、請求項１または２に記載の動態管理システム。
【請求項４】
さらに、現在時刻を検出する現在時刻検出器を含み、前記受信器の受信したＩＤ番号を前記現在時刻とともに記憶する、請求項１から３のいずれかに記載の動態管理システム。
【請求項５】
前記受信器は複数のトリガ信号発信器に対して１個設けられる、請求項１から４のいずれかに記載の動態管理システム。
【請求項６】
トリガ信号に応答して、ＩＤ番号を出力するＩＤタグが出力したＩＤ番号を受信する受信器であって、
前記トリガ信号は、それぞれが異なる位置に設けられ、相互に異なる特性を有するトリガ信号を出力する、複数のトリガ信号発信器から出力され、
前記ＩＤタグは、受信したトリガ信号を特定する情報とともに前記ＩＤ番号を出力し、
前記ＩＤタグが出力した、トリガ信号を特定する情報と、前記ＩＤ番号とを受信する、受信器。
【請求項７】
異なる位置で、相互に異なる特性を有する、複数のトリガ信号を出力するステップと、
受信したトリガ信号を特定する情報とともにＩＤ番号を出力するＩＤタグを前記異なる位置を通過させるステップと、
ＩＤタグが出力したＩＤ番号を受信するステップとを含む、動態管理方法。
【発明の詳細な説明】
【技術分野】
【０００１】
この発明は、入退室管理等に用いられる、動態管理システム、それに用いられる受信器、および動態管理方法に関し、特に複数の人の動向を容易に知ることができる、動態管理システム、それに用いられる受信器、および動態管理方法に関する。
【背景技術】
【０００２】
従来の入退室管理システムが、たとえば、特開２００３−１７８３８１号公報（特許文献１）に開示されている。同公報によれば、入退室監視システムは、分離して設けられた２つのアンテナを有し、２つのアンテナを切換えて、受信期間内に応答信号があるか否かを判断して、タグの特定と、移動方向を検出している。
【特許文献１】特開２００３−１７８３８１号公報（段落番号０００９等）
【発明の開示】
【発明が解決しようとする課題】
【０００３】
従来の動態管理システムにおいては、上記のようにして、タグの特定と、移動方向を検出していたため、構成が複雑であるとともに、判別に時間がかかるという問題があった。
【０００４】
この発明は上記のような問題点を解消するためになされたもので、簡単な構成で、容易に動態の移動を検出できる、動態管理システム、受信器および動態管理方法を提供することを目的とする。
【課題を解決するための手段】
【０００５】
この発明にかかる動態管理システムは、第１の位置に設けられ、第１特性を有するトリガ信号を出力する、第１トリガ信号発信器と、第２の位置に設けられ、第１と異なる第２特性を有するトリガ信号を出力する、第２トリガ信号発信器と、第１および第２トリガ信号発信器からのトリガ信号に応答して、ＩＤ番号を出力するＩＤタグとを含み、ＩＤタグは、受信したトリガ信号を特定する情報とともにＩＤ番号を出力し、ＩＤタグが出力したＩＤ番号を受信する受信器とを含む。
【０００６】
ＩＤタグは、受信したトリガ信号を特定する情報とともにＩＤ番号を出力するため、２つのトリガ信号発信器からの情報だけで、ＩＤタグが、どのトリガ信号発信位置をどのように通過したかを知ることができる。
【０００７】
その結果、簡単な構成で、容易に動態の移動を検出できる、動態管理システムが提供できる。
【０００８】
好ましくは、ＩＤタグは、トリガ信号ごとの異なる特性を記憶する記憶手段を含む。
【０００９】
さらに好ましくは、トリガ信号発信器の相互に異なる特性は、トリガ信号のＩＤによって区別される。
【００１０】
さらに好ましくは、現在時刻を検出する現在時刻検出器を含み、受信器の受信したＩＤ番号を現在時刻とともに記憶する。
【００１１】
なお、受信器は複数のトリガ信号発信器に対して１個設けられてもよい。
【００１２】
この発明の他の局面においては、受信器は、トリガ信号に応答して、ＩＤ番号を出力するＩＤタグが出力したＩＤ番号を受信する。トリガ信号は、それぞれが異なる位置に設けられ、相互に異なる特性を有するトリガ信号を出力する複数のトリガ信号発信器から出力され、ＩＤタグは、受信したトリガ信号を特定する情報とともにＩＤ番号を出力し、受信器は、ＩＤタグが出力した、トリガ信号を特定する情報と、ＩＤ番号とを受信する。
【００１３】
この発明のさらに他の局面においては、動態管理方法は、異なる位置で、相互に異なる特性を有する、複数のトリガ信号を出力するステップと、受信したトリガ信号を特定する情報とともにＩＤ番号を出力するＩＤタグを前記異なる位置を通過させるステップと、ＩＤタグが出力したＩＤ番号を受信するステップとを含む。
【００１４】
ＩＤタグは、受信したトリガ信号を特定する情報とともにＩＤ番号を出力するため、２つのトリガ信号発信器からの情報だけで、ＩＤタグが、どのトリガ信号発信位置をどのように通過したかを知ることができる。
【００１５】
その結果、簡単な構成で、容易に動態の移動を検出できる、動態管理方法が提供できる。
【発明を実施するための最良の形態】
【００１６】
以下、この発明の実施の形態を図面を参照して説明する。図１は、この発明の一実施の形態に係る動態管理システムを、ある部屋への出入りの管理に適用した場合の全体構成を示すブロック図である。
【００１７】
図１を参照して、部屋６０には、４つの出入口Ａ〜Ｄが設けられており、所定のＩＤタグ４０を保持した人がこれらの出入口Ａ〜Ｄを介して入退室する。動態管理システム１０は、部屋６０の出入口Ａ〜Ｄのそれぞれに設けられ、所定のトリガ信号を発信する、トリガ信号発信アンテナ２１〜２８と、トリガ信号発信アンテナ２１〜２８にトリガ信号を供給するトリガ信号発信器１１〜１８と、トリガ信号を受けてＩＤタグ４０が発信したＩＤ番号を受信する受信器３５〜３７と、受信器３５〜３７に接続され、受信器３５〜３７の受信したＩＤ番号を処理するコントローラ３０とを含む。
【００１８】
トリガ信号発信器１１〜１８は、トリガ信号発信時に、それぞれ異なる特性のトリガ信号を出力する。ここでは、トリガ信号ＩＤを出力するものとして説明する。ＩＤタグ４０は、後に説明するように、トリガ信号を受信すると、受信したトリガ信号のＩＤ番号と、自分のＩＤ番号とを合わせて、受信器３５〜３７に送信する。
【００１９】
コントローラ３０は、ＩＤタグ４０からのトリガＩＤ番号とタグのＩＤ番号を受信する、受信部３１と、現時時刻を出力する計時部３２と、受信部３１で受信した上記のデータを、計時部３２で計時した時刻とともに記憶する記憶部３３と、受信部３１、計時部３２および記憶部３３を制御する制御部３４とを含む。
【００２０】
図１においては、部屋６０の内部に受信器３５を１つ設け、外部には、出入口Ａ、Ｂ用に受信器３６を設け、出入口Ｃ，Ｄ用に受信器３７を設けた例を示しているが、受信器を各トリガ信号発信器ごとに設けてもよい。
【００２１】
図２は、ＩＤタグ４０の構成を示すブロック図である。図２を参照して、ＩＤタグ４０は受信用アンテナ５１とトリガ信号検知部４１と、電池４９と、スィッチ４２と固有のＩＤ番号を発生する、ＩＤ番号発生部４３とを含む。ＩＤ番号発生部４３はアドレス計数部４５とＩＤ番号記憶部４６と発振器４７と出力回路４８と、ＩＤ番号発生部４３と、所定のデータを格納しているメモリ５２と、全体を制御するＣＰＵ５０とから構成される。
【００２２】
受信用アンテナ５１は、トリガ信号発信器１１〜１８に接続されたトリガ信号発信アンテナ２１〜２８からのトリガ信号を受信するようになっており、トリガ信号検知部４１は、受信用アンテナ５１で受信された信号が、トリガ信号であると認識したときにスイッチ４２をＯＮするようになっている。スイッチ４２がＯＮされると、ＩＤ番号発生部４３に電源が供給されて、このＩＤ番号発生部４３からそのＩＤタグ４０に対応するＩＤ番号および、受信用アンテナ５１で受信したトリガ信号のＩＤとが送信用アンテナ４４を介して出力される。このように出力されたＩＤ番号は発振器４７によって高周波信号に変換されて出力回路４８を介して送信用アンテナ４４から送信される。
【００２３】
メモリ５２は、トリガ信号発信器１１〜１８の発信する、それぞれが異なる、各トリガ信号のパターンを格納しており、トリガ信号を受信すると、そのパターンからトリガＩＤを特定するようにしてもよい。
【００２４】
ここでＩＤタグ４０に設けられた発振器４７からはＩＤ番号が、トリガ信号ＩＤとともに発信され、これらのＩＤをＩＤ受信器１３が受信する。
【００２５】
次に、ＩＤタグ４０の動作について説明する。図３は、ＩＤタグ４０の動作を示すフローチャートである。
【００２６】
図２および図３を参照して、ＩＤタグ４０は、まず、トリガ信号を検出する（ステップＳ１１、以下、ステップを省略する）。トリガ信号を受信すると（Ｓ１１でＹＥＳ）、マイコン５０を起動して（Ｓ１２）、トリガ信号を取り込む（Ｓ１３）。トリガ信号は、同期信号を含むヘッダと、トリガＩＤと、誤り検出用のパリティデータとフッタとを有している。このヘッダから同期信号、パリティデータ、およびトリガＩＤとを取り出し（Ｓ１４〜Ｓ１６）、メモリに格納されているトリガ信号のパターンと比較して、受信したトリガ信号が、トリガ信号Ａ〜Ｃのうちの、どのトリガ信号であるかを判別し、データの送信準備を行なう（Ｓ１７）。
【００２７】
トリガ信号から取り出したトリガＩＤと、ＩＤ番号記憶部４６に格納されているＩＤタグのＩＤ番号とから、データの準備を行ない（Ｓ１８）、受信したトリガ信号から、上記した発信間隔データに応じて、タイマーをセットする（Ｓ１９）。
【００２８】
次いで、タイマカウントをセットし、カウントダウンを開始する（Ｓ２０，Ｓ２１）。セットしたカウント値になると（Ｓ２２）、ＲＦ（無線周波数）を発信し（Ｓ２３）、準備したデータを送信して、ＲＦをオフする（Ｓ２４、Ｓ２５）。
【００２９】
その後、プログラムは、再度Ｓ１９に戻り、タイマをセットした後、データ送信を繰り返す。これは、予め定められた所定回数繰り返される。
【００３０】
このように、ＩＤタグ４０は、受信したトリガ信号のＩＤと自己のＩＤとを受信器３５〜３７に送信するため、トリガ信号発信アンテナ２１〜２８の設けられている出入口において、どの方向に移動したかを確実に検出できる。
【００３１】
また、一定間隔で、複数回データを送信することにより、データの受信漏れは生じない。
【００３２】
また、計時部３２での計時時間を合わせて記憶部３３に記憶することにより、誰が何時に、どの出入口から入室、または退室したのかを知ることができる。
【００３３】
なお、コントローラ３０では、複数の受信器３５〜３７において、重複したデータを受信したときには、いずれかのデータを削除する等の処理を行なう。
【００３４】
次に、受信器３５〜３７の動作について図４に示すフローチャートを参照して説明する。図４を参照して、受信器３５〜３７は、ＩＤタグ４０からＩＤを受信すると（Ｓ３１でＹＥＳ）、それをコントローラ３０へ送信する（Ｓ３２）。
【００３５】
なお、受信器３５〜３７のデータの送信は、一定の時間ＩＤタグからの受信データを図示のないメモリに格納し、所定時間経過後にコントローラ３０に送信してもよい。
【００３６】
上記実施の形態においては、異なる特性のトリガ信号を出力する例として、トリガ信号ＩＤを出力するものとして説明したが、これに限らず、波形が異なる等の他の方法で特性を変えるようにしてもよい。
【００３７】
上記実施の形態においては、動態管理システムを、部屋６０の出入口を介したＩＤタグを保持した人の入退室の管理に用いた例について説明したが、これに限らず、任意の位置における人の動向を知ることができる。
【００３８】
たとえば、見本市会場のようなイベント会場において、各ブースへの入退室等にも利用が可能である。
【００３９】
自転車競技を含むトラック競技や、マラソン等において、所定のゴール地点と、それに対して半周手前等の位置の両方にトリガ信号発信アンテナを設け、ＩＤタグを保持する競争者の半周前のラップタイムと、ゴール時間とを知ることができる。
【００４０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【００４１】
そのような内容の一部を以下に示す。
【００４２】
１．動態管理方法においては、トリガ信号発信器の相互に異なる特性は、トリガ信号のＩＤによって区別する。
【００４３】
２．動態管理方法は、現在時刻を検出するステップを含み、受信したＩＤ番号を現在時刻とともに記憶するステップを含む。
【図面の簡単な説明】
【００４４】
【図１】この発明にかかる動態管理システムの要部を示すブロック図である。
【図２】ＩＤタグの構成を示すブロック図である。
【図３】ＩＤタグの処理手順を示すフローチャートである。
【図４】受信器の動作を示すフローチャートである。
【符号の説明】
【００４５】
１０  動態管理システム、１１〜１８  トリガ信号発信器、２１〜２８  トリガ信号発信アンテナ、３０  コントローラ、３１  受信部、３２  計時部、３３  記憶部、３４  制御部、３５〜３７  受信器、４０  ＩＤタグ、４１  トリガ検知部、４２  スイッチ、４３  ＩＤ番号発生部、４４  送信用アンテナ、４５  アドレス計数部、４６  ＩＤ番号記憶部、４７  発信器、４８  出力回路、４９  電池、５０  マイコン、５１  受信用アンテナ。
【図１】
2006048399.tif 000003
【図２】
2006048399.tif 000004
【図３】
2006048399.tif 000005
【図４】
2006048399.tif 000006